(57)【要約】      （修正有）【課題】貯蔵物の視認性を向上できる冷蔵庫を提供する。【解決手段】照明室４の正面の開口部を塞ぐ透明部材から成るランプカバー６がＬＥＤ３に対向する入射面６１ａを有して側方に延びる第１導光部６１と、第１導光部６１から貯蔵室２に面した第１傾斜面６２ａを介して屈曲して後方に延びる第２導光部６２とを有し、第２導光部６２を貯蔵室２の側壁８よりも内側に突出させた。【選択図】図３
2014059067.tif 000002
【特許請求の範囲】
【請求項１】
貯蔵物を収納する貯蔵室と、前記貯蔵室の両側壁の前部に上下方向に延びて凹設される照明室と、前記照明室内に上下に並設される複数のＬＥＤと、前記照明室の正面の開口部を塞ぐ透明部材から成るランプカバーとを備え、前記ランプカバーが前記ＬＥＤに対向する入射面を有して側方に延びる第１導光部と、第１導光部から前記貯蔵室に面した第１傾斜面を介して屈曲して後方に延びる第２導光部とを有し、第２導光部が前記貯蔵室の側壁よりも内側に突出することを特徴とする冷蔵庫。
【請求項２】
第２導光部の後端部の前記貯蔵室側の面を後方が前記貯蔵室の側壁に近づくように傾斜したことを特徴とする請求項１に記載の冷蔵庫。
【請求項３】
第１導光部から前記貯蔵室に面した第２傾斜面を介して前方に延びる第３導光部を有することを特徴とする請求項１又は請求項２に記載の冷蔵庫。
【請求項４】
第１傾斜面と第２傾斜面との交線が前記入射面の前後方向の中心に対して前方に偏って配置されることを特徴とする請求項１〜請求項３のいずれかに記載の冷蔵庫。
【請求項５】
第３導光部の前端部に光散乱処理が施されていることを特徴とする請求項３又は請求項４に記載の冷蔵庫。
【発明の詳細な説明】
【技術分野】
【０００１】
本発明は、ＬＥＤにより貯蔵室内を照明する冷蔵庫に関する。
【背景技術】
【０００２】
従来の冷蔵庫は特許文献１、２に開示されている。この冷蔵庫は貯蔵物を収納する貯蔵室内を照明する複数のＬＥＤを有している。ＬＥＤは上下に並んで貯蔵室の両側壁の前部に配される。
【０００３】
図４は貯蔵室の側壁の前部を示す上面断面図である。貯蔵室２の側壁８には断熱材が充填され、貯蔵室２に面して上下に延びる照明室４が凹設される。照明室４の壁面は側壁８と一体の樹脂成形品から成る枠部５により形成される。枠部５にはＬＥＤ３を実装した実装基板７が取り付けられる。照明室４の正面には透明部材から成るランプカバー６が配される。ランプカバー６は爪部６ａが枠部５に設けた孔部５ａに係合して係止される。
【先行技術文献】
【特許文献】
【０００４】
【特許文献１】特開２００７−１８７３６３号公報（第３頁−第６頁、第２図）
【特許文献２】特開２００８−８９２７７号公報（第４頁−第６頁、第２図）
【発明の概要】
【発明が解決しようとする課題】
【０００５】
しかしながら、上記従来の冷蔵庫によると、ＬＥＤ３から出射された出射光がランプカバー６を透過して貯蔵室２の前部を照明する。このため、貯蔵室２の後部に配される貯蔵物の視認性が悪い問題があった。
【０００６】
本発明は、貯蔵物の視認性を向上できる冷蔵庫を提供することを目的とする。
【課題を解決するための手段】
【０００７】
上記目的を達成するために本発明は、貯蔵物を収納する貯蔵室と、前記貯蔵室の両側壁の前部に上下方向に延びて凹設される照明室と、前記照明室内に上下に並設される複数のＬＥＤと、前記照明室の正面の開口部を塞ぐ透明部材から成るランプカバーとを備え、前記ランプカバーが前記ＬＥＤに対向する入射面を有して側方に延びる第１導光部と、第１導光部から前記貯蔵室に面した第１傾斜面を介して屈曲して後方に延びる第２導光部とを有し、第２導光部が前記貯蔵室の側壁よりも内側に突出することを特徴としている。
【０００８】
この構成によると、ＬＥＤの出射光は入射面を介して第１導光部に入射する。第１導光部に入射した光は第１傾斜面で反射し、第２導光部を後方に向かって導光される。第２導光部の貯蔵室側の面に臨界角よりも小さい入射角で到達した光は貯蔵室内に向かって出射される。また、第２導光部は貯蔵室の側壁に対して突出し、第２導光部の後端に到達した光が後方に向かって出射される。
【０００９】
また本発明は、上記構成の冷蔵庫において、第２導光部の後端部の前記貯蔵室側の面を後方が前記貯蔵室の側壁に近づくように傾斜したことを特徴としている。この構成によると、第２導光部の後端部の面が貯蔵室の内側後方に向く。これにより、後端部の面を発光面として貯蔵室の内側後方に向かって出射される光が増加する。
【００１０】
また本発明は、上記構成の冷蔵庫において、第１導光部から前記貯蔵室に面した第２傾斜面を介して前方に延びる第３導光部を有することを特徴としている。この構成によると、第１導光部に導光された光の一部は第２傾斜面で反射し、第３導光部を前方に向かって導光される。
【００１１】
また本発明は、上記構成の冷蔵庫において、第１傾斜面と第２傾斜面との交線が前記入射面の前後方向の中心に対して前方に偏って配置されることを特徴としている。この構成によると、第１導光部の入射面からランプカバーに入射した光のうち第１傾斜面で反射される光が第２傾斜面で反射される光より多くなる。
【００１２】
また本発明は、上記構成の冷蔵庫において、第３導光部の前端部に光散乱処理が施されていることを特徴としている。この構成によると、第３導光部の前端部からの照明室内部の視認を防止しながら貯蔵室の前方から照明することができる。
【発明の効果】
【００１３】
本発明によると、ＬＥＤからの出射光は対向する第１導光部の入射面からランプカバーに入射して第１傾斜面で反射し、後方に延びる第２導光部に導光される。第２導光部の貯蔵室側の面に臨界角よりも小さい入射角で到達した光は貯蔵室内に向かって出射される。また、第２導光部の後方に導光された光は貯蔵室の側壁よりも内側に突出した第２導光部の端部から貯蔵室の後方に向かって出射する。これにより、側方から出射する光によって貯蔵室の前部及び後部に配される貯蔵物を前後から照明することができる。このため、後部の貯蔵物の視認性低下を防止し、貯蔵物の視認性を向上することができる。なお、ランプカバーが貯蔵室の後部を照明する機能を有するので、導光板等の別部材を新たに設ける必要がない。このため、冷蔵庫の製造コストを削減することができる。
【図面の簡単な説明】
【００１４】
【図１】本発明の実施形態の冷蔵庫を示す斜視図
【図２】図１のＡ矢視図
【図３】図２のＢ−Ｂ断面図
【図４】従来の冷蔵庫の貯蔵室の側壁を示す上面断面図
【発明を実施するための形態】
【００１５】
以下に本発明の実施形態を図面を参照して説明する。説明の便宜上、前述の図４に示す従来例と同一の部分は同一の符号を付している。図１は一実施形態の冷蔵庫を示す斜視図であり、図２は図１のＡ矢視図である。冷蔵庫１は断熱材を充填した断熱箱体１ａにより貯蔵室２が区画される。
【００１６】
貯蔵室２の左右の側壁８の前部にはＬＥＤ３が配される照明室４が上下に延びて設けられる。両側壁８間には貯蔵物を載置する載置トレイ９が配される。載置トレイ９は貯蔵室２の両側壁８に突設される支持部１１上に橋架される。
【００１７】
貯蔵室２の背面には冷気が流通する冷気通路１２が形成される。冷気通路１２を流通する冷気は吐出口（不図示）を介して貯蔵室２内に吐出される。冷気通路１２の前面は金属パネル１３で覆われ、冷気通路１２を流通する冷気の冷熱が金属パネル１３を介して貯蔵室２に放出される。これにより、貯蔵室２内を均一に冷却することができる。
【００１８】
図３は図２のＢ−Ｂ断面図を示している。照明室４は貯蔵室２の両側壁８の前部に上下方向（紙面に対し垂直方向）に延びて凹設され、照明室４の壁面は側壁８と一体の樹脂成形品から成る枠部５により形成される。照明室４内にはチップ状の複数のＬＥＤ３を上下方向に並んで実装した実装基板７が側壁８に対して略平行に取り付けられる。
【００１９】
照明室４の正面の開口部は透明部材から成るランプカバー６により塞がれている。ランプカバー６は爪部６ａが枠部５に設けた孔部５ａに係合して係止される。また、ランプカバー６は第１導光部６１、第２導光部６２及び第３導光部６３を有する。第１導光部６１はＬＥＤ３に対向する入射面６１ａを有して側方（ｃ方向）に延びる。第２導光部６２は第１導光部６１から貯蔵室２に面する第１傾斜面６２ａを介して屈曲して後方（ｂ方向）に延びる。第３導光部６３は第１導光部６１から貯蔵室２に面する第２傾斜面６３ａを介して屈曲して前方（ａ方向）に延びる。
【００２０】
第１傾斜面６２ａ及び第２傾斜面６３ａは入射面６１ａに対して所定の角度で傾斜しており、曲面または平面により形成される。第１傾斜面６２ａ及び第２傾斜面６３ａは入射面６１ａから到達する光が臨界角より大きい角度で入射するように傾斜させることが好ましい。例えば、ランプカバー６がアクリル樹脂から成る場合、アクリル樹脂から空気に向けて入射される光の臨界角は約４２°である。このため、入射面６１ａからの入射光が第１傾斜面６２ａ及び第２傾斜面６３ａに臨界角である約４２°よりも大きい角度で入射するように、第１傾斜面６２ａ及び第２傾斜面６３ａを傾斜して形成することが好ましい。
また、第１傾斜面６２ａと第２傾斜面６３ａとの交線６４は入射面６１ａの前後方向の中心に対して前方に偏って配置されている。
【００２１】
なお、第２導光部６２及び第３導光部６３は貯蔵室２の側壁８よりも内側（ｃ方向）に突出している。また、第２導光部６２の後端部６２ｂの貯蔵室２側の面は後方が貯蔵室２の側壁８に近づくように傾斜している。第３導光部６３の前端部６３ｂの貯蔵室２側の面は前方が貯蔵室２の側壁８に近づくように傾斜している。
【００２２】
また、ランプカバー６は透明部材から成る。このため、第３導光部６３の前端部６３ｂに光散乱処理を施してもよい。これにより、実装基板７等の照明室４の内部の視認を防止することができる。光散乱処理としてはサンドブラストやシボ加工、梨地加工、ローレット加工等による凹凸面処理を施してもよい。また、乳白色等に着色してもよい。即ち、ＬＥＤ３の視認性を低下させる処理がランプカバー６に施されていればよい。
【００２３】
また、ランプカバー６にアクリル樹脂、ガラス、ポリスチレン樹脂等を用いてもよい。ポリスチレン樹脂はアクリル樹脂やガラスに比して成形性がよく、光の拡散が大きい。また、ランプカバー６に着色材を混入して照明光を発色してもよい。
【００２４】
貯蔵室２の扉を開くとＬＥＤ３に通電され、ＬＥＤ３から出射された出射光は対向する第１導光部６１の入射面６１ａからランプカバー６に入射し、側方に向かって導光する。第１導光部６１の導光は第１傾斜面６２ａ又は第２傾斜面６３ａで反射する。第１傾斜面６２ａで反射した光は第２導光部６２を後方（ｂ方向）に向かって導光する。また、第２傾斜面６３ａで反射した光は第３導光部６３を前方（ａ方向）に向かって導光する。
【００２５】
なお、第１傾斜面６２ａと第２傾斜面６３ａとの交線６４が入射面６１ａの前後方向の中心に対して前方に偏って配置されているため、入射面６１ａからランプカバー６に入射した光のうち第１傾斜面６２ａで反射される光が第２傾斜面６３ａで反射される光より多くなる。これにより、第２導光部６２を後方（ｂ方向）に向かって導光する光が第３導光部６３を前方（ａ方向）に向かって導光する光より多くなり、ＬＥＤ３の出射光は貯蔵室２の後部に多くの光が導かれる。
【００２６】
このとき、第２導光部６２及び第３導光部６３の貯蔵室２側の面に臨界角よりも小さい入射角で到達した光は貯蔵室２内に向かって出射される。また、第２導光部６２の後方に導かれた光は貯蔵室２の側壁８よりも内側に突出した第２導光部６２の後端部６２ｂから貯蔵室２の後部に向かって出射する。一方、第３導光部６３の前方に導かれた光は貯蔵室２の側壁８よりも内側に突出した第３導光部６３の前端部６３ｂから貯蔵室２の前部に向かって出射する。
【００２７】
これにより、側方から出射する光によって貯蔵室２の前部及び後部に配される貯蔵物を前後から照明することができる。このため、後部の貯蔵物の視認性低下を防止し、貯蔵物の視認性を向上することができる。なお、ランプカバー６を用いて貯蔵室の後部を照明するために導光板等の別部材を設ける必要がない。このため、冷蔵庫１の製造コストを削減することができる。
【００２８】
なお、後端部６２ｂの貯蔵室側２の面は貯蔵室２の側壁８に近づくように傾斜している。このため、第２導光部６２の後端部６２ｂの面は貯蔵室２の内側後方に向く。これにより、後端部６２ｂの面が発光面となり貯蔵室２の内側後方に向かって出射される光が増加し、貯蔵室２の後部の左右方向の中央部の貯蔵物を照射することができる。また、後端部６２ｂから出射される光は金属パネル１３で反射し、貯蔵室２内を背面からも照明することができる。
【００２９】
また、ランプカバー６は上下方向（紙面に対し垂直方向）に延びており、ランプカバー６に入射した光は上下方向にも導光される。これにより、隣接するＬＥＤ３間と対向する領域からも導光された光が出射する。
【００３０】
本実施形態によると、ＬＥＤ３からの出射光は対向する第１導光部６１の入射面６１ａからランプカバー６に入射して第１傾斜面６２ａで反射し、後方に延びる第２導光部６２
に導光される。第２導光部６２の貯蔵室２側の面に臨界角よりも小さい入射角で到達した光は貯蔵室２内に向かって出射される。また、第２導光部の後方に導光された光は貯蔵室の側壁よりも内側に突出した第２導光部６２の後端部６２ｂから貯蔵室２の後方に向かって出射する。これにより、側方から出射する光によって貯蔵室２の前部及び後部に配される貯蔵物を前後から照明することができる。このため、後部の貯蔵物の視認性低下を防止し、貯蔵物の視認性を向上することができる。なお、ランプカバー６が貯蔵室２の後部を照明する機能を有するので、導光板等の別部材を新たに設ける必要がない。このため、冷蔵庫１の製造コストを削減することができる。
【００３１】
また、第２導光部６２の後端部６２ｂの貯蔵室２側の面は後方が貯蔵室２の側壁８に近づくように傾斜している。このため、第２導光部６２の後端部６２ｂの面が貯蔵室２の内側後方に向く。これにより、後端部６２ｂの面を発光面として貯蔵室２の内側後方に向かって出射される光が増加する。したがって、貯蔵室２内を後部からより確実に照明して貯蔵物の視認性をより向上することができる。また、第２導光部６２の後端部６２ｂから後方に出射される光の一部は金属パネル１３に入射して貯蔵室２の前方に反射する。これにより、貯蔵室２内を背面からも照明することができる。
【００３２】
また、第１導光部６１から貯蔵室２に面した第２傾斜面６３ａを介して前方に延びる第３導光部６３を有することにより、第１導光部６１の入射面６１ａからランプカバー６に入射した光の一部は第２傾斜面６３ａで反射し、前方に延びる第３導光部６３に導光される。第３導光部６３に導光された光は貯蔵室２の前方に向かって出射される。これにより、貯蔵室２の前部及び後部に配される貯蔵物を前後から照明することができる。従って、貯蔵物の視認性を向上することができる。
【００３３】
また、第１傾斜面６２ａと第２傾斜面６３ａとの交線６４が入射面６１ａの前後方向の中心に対して前方に偏って配置されている。これにより、入射面６１ａからランプカバー６に入射した光のうち第１傾斜面６２ａで反射される光が第２傾斜面６３ａで反射される光より多くなる。これにより、貯蔵室２内の後方が前方より明るく照らされる。
【００３４】
また、第３導光部６３の前端部６３ｂに光散乱処理を施すことにより、第３導光部６３の前端部６３ｂからの照明室４の内部の視認を防止しながら貯蔵室２の前方から照明することができる。
【産業上の利用可能性】
【００３５】
本発明によると、ＬＥＤにより貯蔵室内を照明する冷蔵庫に利用することができる。
【符号の説明】
【００３６】
１                冷蔵庫
２                貯蔵室
３                ＬＥＤ
４                照明室
５                枠部
６                ランプカバー
７                実装基板
８                側壁
１１              支持部
１２              冷気通路
１３              金属パネル
６１              第１導光部
６１ａ            入射面
６２              第２導光部
６２ａ            第１傾斜面
６２ｂ            後端部
６３              第３導光部
６３ａ            第２傾斜面
６３ｂ            前端部
６４              交線
【図１】
2014059067.tif 000003
【図２】
2014059067.tif 000004
【図３】
2014059067.tif 000005
【図４】
2014059067.tif 000006